(57)【特許請求の範囲】
【請求項１】
２つ以上の蓄電デバイスを含む群と、
隣接する前記蓄電デバイス間を電気的に接続する接合部材と、
前記２つ以上の蓄電デバイスを一体化する絶縁性を有するホルダーと、
前記蓄電デバイスの充放電を制御する制御回路を具備する回路基板と、を具備し、
前記ホルダーが、
前記群の一方の端部と勘合する第１ケースと、
前記群の前記一方の端部と対向する他方の端部と勘合する第２ケースと、を具備し、
前記第１ケースは、隣接する前記蓄電デバイス間に介在する第１仕切り部材を有し、
前記第２ケースは、隣接する前記蓄電デバイス間に介在する第２仕切り部材を有し、
前記第１仕切り部材および前記第２仕切り部材により、隣接する前記蓄電デバイス間に空間が保持され、
前記第１ケースが、前記群の前記一方の端部と勘合する内側収容部と、前記内側収容部の反対側に配置された外側収容部と、を具備し、
前記外側収容部はカバープレートにより覆われ、
前記回路基板は、前記カバープレート上に前記外側収容部を覆うように配されている、蓄電デバイスモジュール。
【請求項２】
前記第１ケースと前記第２ケースとが連結されることにより、前記第１ケースと前記第２ケースとが前記群を前記一方および他方の端部から挟持する、請求項１に記載の蓄電デバイスモジュール。
【請求項３】
前記蓄電デバイスが、発電要素または蓄電要素と、前記発電要素または前記蓄電要素を収容する角型ケースと、を具備し、
前記角型ケースが、金属容器と、前記金属容器の開口を塞ぐ封口板と、を具備し、
前記封口板が、外部端子を有し、
前記２つ以上の蓄電デバイスの前記封口板が、前記一方の端部に、整列して配置され、
前記接合部材が、隣接する前記蓄電デバイスの前記外部端子同士を連結している、請求項１または請求項２に記載の蓄電デバイスモジュール。
【請求項４】
前記群の前記一方および他方の端部に配された前記金属容器の一方および他方の端部の外側の面と、前記第１ケースおよび前記第２ケースとが直に接触する、請求項３に記載の蓄電デバイスモジュール。
【請求項５】
前記外側収容部が、前記外部端子および前記接合部材を収容する、請求項３または請求項４に記載の蓄電デバイスモジュール。
【請求項６】
前記封口板が、前記蓄電デバイスの内圧が上昇したときに作動するガス抜き弁を有し、
前記第１ケースが、前記ガス抜き弁と所定間隔を隔てて対向する蓋部を有する、請求項３〜請求項５のいずれか１項に記載の蓄電デバイスモジュール。
【請求項７】
前記外側収容部が、隣接する前記蓄電デバイスの、前記接合部材により連結されない前記外部端子同士を電気的に絶縁する第３仕切り部材を有する、請求項５に記載の蓄電デバイスモジュール。
【請求項８】
前記外側収容部が、前記外部端子および前記接合部材を囲うように配されたリブを有し、
前記リブの端面と、前記第３仕切り部材の端面とが、面一である、請求項７に記載の蓄電デバイスモジュール。
【請求項９】
前記蓄電デバイスが、電池および／またはキャパシタである、請求項１〜請求項８のいずれか１項に記載の蓄電デバイスモジュール。
【請求項１０】
更に、前記外部端子と前記回路基板とを接続する接続部品を具備し、
前記接続部品は、前記外部端子と接続される板状部と、前記板状部から上方に延びる柱状部とを有し、
前記回路基板が端子電極を有し、
前記柱状部の先端が、前記端子電極と接続されている、請求項３〜請求項８のいずれか１項に記載の蓄電デバイスモジュール。
【請求項１１】
前記板状部は、前記外部端子が貫通する孔を有し、かつナットと加締められる、請求項１０に記載の蓄電デバイスモジュール。
【請求項１２】
前記柱状部の先端が平坦面を有し、前記平坦面が前記端子電極と面接触している、請求項１０または請求項１１に記載の蓄電デバイスモジュール。
【請求項１３】
前記柱状部が前記先端付近に中空部を有し、
前記中空部の内壁が雌螺子を有し、
前記中空部に雄螺子を嵌合させることにより、前記柱状部と前記端子電極とが接合されている、請求項１２に記載の蓄電デバイスモジュール。
【請求項１４】
前記柱状部の前記平坦面と前記端子電極との接触面積が２０ｍｍ２以上である、請求項１２または請求項１３に記載の蓄電デバイスモジュール。
【発明の詳細な説明】
【技術分野】
【０００１】
本発明は、複数の蓄電デバイスを一体化させた蓄電デバイスモジュールに関する。
【背景技術】
【０００２】
近年、車両や電子機器の電源として、蓄電デバイスの用途が拡大している。以下、車載用途を例にとって説明する。車載用途の蓄電デバイスモジュールは、例えば車室内シートの下部のような限られたスペースに搭載する必要がある。よって、蓄電デバイスモジュールの小型化が重要となる。一方、車両には、様々な衝撃と振動が加えられるため、蓄電デバイスモジュールには相当の構造的強度が求められる。
【０００３】
小型化および高強度化の観点からは、複数の蓄電デバイス同士を密着させて一体化することが望ましい。あるいは、複数の蓄電デバイス間に隙間が生じる場合には、隙間に封止樹脂を充填することが望ましい。しかし、蓄電デバイスは、充放電時に発熱を伴うため、放熱性を確保することも必要である。
【０００４】
そこで、特許文献１は、複数の角型電池を板部材であるセパレータを介して配列させた組電池（モジュール）において、電池の冷却面を露出させ、冷却面に熱伝導シートと冷却プレートを当接させることを提案している。
【先行技術文献】
【特許文献】
【０００５】
【特許文献１】特開２０１１-３４７７５号公報
【発明の概要】
【発明が解決しようとする課題】
【０００６】
しかし、特許文献１のように、熱伝導シートと冷却プレートを用いる構造では、放熱性が不十分である上、部品点数が多くなり、モジュールの小型化も困難である。
【課題を解決するための手段】
【０００７】
本発明は、小型化および高強度化の要請に応じつつ、放熱性に優れた簡易な構造の蓄電デバイスモジュールを提供することを目的とする。
【０００８】
本発明の一局面は、２つ以上の蓄電デバイスを含む群と、隣接する前記蓄電デバイス間を電気的に接続する接合部材と、前記２つ以上の蓄電デバイスを一体化する絶縁性を有するホルダーと、前記蓄電デバイスの充放電を制御する制御回路を具備する回路基板と、を具備し、前記ホルダーが、前記群の一方の端部と勘合する第１ケースと、前記群の前記一方の端部と対向する他方の端部と勘合する第２ケースと、を具備し、前記第１ケースは、隣接する前記蓄電デバイス間に介在する第１仕切り部材を有し、前記第２ケースは、隣接する前記蓄電デバイス間に介在する第２仕切り部材を有し、前記第１仕切り部材および前記第２仕切り部材により、隣接する前記蓄電デバイス間に空間が保持され、前記第１ケースが、前記群の前記一方の端部と勘合する内側収容部と、前記内側収容部の反対側に配置された外側収容部と、を具備し、前記外側収容部はカバープレートにより覆われ、前記回路基板は、前記カバープレート上に前記外側収容部を覆うように配されている、蓄電デバイスモジュールに関する。
【発明の効果】
【０００９】
本発明によれば、小型で構造的強度が高く、放熱性に優れた簡易な構造の蓄電デバイスモジュールを提供することができる。
【図面の簡単な説明】
【００１０】
【図１】完成前の蓄電デバイスモジュールの一例の斜視図である。
【図２】ホルダーの第１ケースと第２ケースとを外した状態の蓄電デバイスの群を示す斜視図である。
【図３】ホルダーで一体化された蓄電デバイスの群と、これを収容する外装ケースを示す斜視図である。
【図４】ホルダーで一体化され、外装ケースに収容された蓄電デバイスの群と、拘束プレートを示す斜視図である。
【図５】接合部材と蓄電デバイスとの接続関係を示す斜視図である。
【図６】接合部材と蓄電デバイスとの接続関係を示す図５の部分拡大図である。
【図７】外装ケースに収容された蓄電デバイスモジュールと、カバープレートとの関係を示す斜視図である。
【図８】外装ケースに収容された蓄電デバイスモジュールと、回路基板との関係を示す斜視図である。
【図９Ａ】回路基板と一体化された蓄電デバイスモジュールを示す斜視図である。
【図９Ｂ】蓄電デバイスの外部端子と回路基板との接続部を示す、図９ＡのＢ−Ｂ線矢視断面図である。
【図１０Ａ】第１ケースの斜視図である。
【図１０Ｂ】第１ケースをＸ方向から見た側面図である。
【図１０Ｃ】第１ケースをＺ方向から見た平面図である。
【図１０Ｄ】第１ケースをＺ方向の反対から見た背面図である。
【図１０Ｅ】第１ケースをＹ方向から見た側面図である。
【図１１Ａ】第２ケースの斜視図である。
【図１１Ｂ】第２ケースをＸ方向から見た側面図である。
【図１１Ｃ】第２ケースをＺ方向から見た平面図である。
【図１１Ｄ】第２ケースをＹ方向から見た側面図である。
【図１１Ｅ】図１１Ｂの一点鎖線で囲まれた領域の拡大図である。
【図１２Ａ】接続部品の斜視図である。
【図１２Ｂ】接続部品の側面図である。
【図１２Ｃ】接続部品の平面図である。
【発明を実施するための形態】
【００１１】
［発明の実施形態の説明］
最初に発明の実施形態の内容を列記して説明する。
本実施形態に係る蓄電デバイスモジュールは、２つ以上の蓄電デバイスを含む群（以下、デバイス群）と、隣接する蓄電デバイス間を電気的に接続する接合部材と、２つ以上の蓄電デバイスを一体化する絶縁性を有するホルダーとを具備する。ホルダーは、デバイス群の一方の端部（以下、第１端部）と勘合する第１ケースと、第１端部と対向する他方の端部（以下、第２端部）と勘合する第２ケースとを具備する。第１ケースは、隣接する蓄電デバイス間に介在する第１仕切り部材を有する。第２ケースは、隣接する蓄電デバイス間に介在する第２仕切り部材を有する。２つ以上の蓄電デバイスは、接合部材により、直列および／または並列に接続される。接合部材には、例えば金属板（バスバー（busbar））が用いられる。
【００１２】
第１ケースおよび第２ケースがそれぞれ第１仕切り部材および第２仕切り部材を有することにより、複数の蓄電デバイスはホルダー内に確実に位置決めされ、その状態で固定される。上記蓄電デバイスモジュールによれば、複数の蓄電デバイスを２つの部品からなるホルダーで一体化できるため、組み立てが容易であり、構造が簡易で、構造的強度も高い。構造が簡易であることから、モジュールの小型化、更には軽量化も容易である。
【００１３】
第１仕切り部材および第２仕切り部材により、隣接する蓄電デバイス間には空間が保持される。これにより、蓄電デバイス間に空気が対流する空間を保持することができる。よって、優れた放熱性が得られる。また、衝撃および／または振動によって蓄電デバイス同士が接触して擦れる不具合も生じない。よって、蓄電デバイスの破損を防止することができる。
【００１４】
第１ケースと第２ケースとを連結することにより、第１ケースと第２ケースとでデバイス群を第１端部および第２端部から挟持してもよい。これにより、蓄電デバイスモジュールの構造的強度が更に高められる。
【００１５】
好ましい形態において、蓄電デバイスは、発電要素または蓄電要素と、発電要素または蓄電要素を収容する角型ケースとを具備する。
すなわち、蓄電デバイスは角型デバイスであることが好ましい。角型ケースは、一般に、角型の金属容器と、金属容器の開口を塞ぐ封口板とを具備する。通常、封口板は、２つの外部端子を有する。２つ以上の蓄電デバイスの封口板は、第１端部に整列して配置されることが好ましい。また、外部端子の形状は特に限定されないが、例えば突起状であることが好ましい。これにより、接合部材で隣接する蓄電デバイスの外部端子同士を連結しやすくなる。例えば封口板が互いに極性の異なる２つの外部端子を有する場合は、同じ極性の外部端子同士を連結することで、複数の蓄電デバイスを並列に接続することが可能である。また、隣接する蓄電デバイスの異なる極性の外部端子同士を連結することで、複数の蓄電デバイスを直列に接続することが可能である。角型蓄電デバイスを上記のように配置することにより、蓄電デバイスモジュールの構造的強度は一層高められる。
【００１６】
蓄電デバイスの形状は、角型に限られず、円筒型および／またはラミネート型でもよく、これら以外の形状でもよい。また、異なる形状の蓄電デバイスを一体化させてモジュールにしてもよい。
【００１７】
ホルダー（第１ケースおよび第２ケース）は、絶縁性を有するため、第１端部および第２端部に配された金属容器の一方および他方の端部の外側の面は、第１ケースおよび第２ケースと直に接触してもよい。これにより、蓄電デバイスを絶縁性の外装シートで覆う必要がなくなり、製造コストを抑えることができる。
【００１８】
第１ケースは、デバイス群の第１端部と勘合する内側収容部と、内側収容部の反対側に配置された外側収容部とを具備することが好ましい。外側収容部には、蓄電デバイスの外部端子および接合部材が収容される。外側収容部に外部端子および接合部材を収容することにより、蓄電デバイスが全体的に取り扱い易い形状となり、構造的強度も向上する。また、外部端子および端子間の接続構造を保護し易くなるとともに、端子間の絶縁を確保し易くなる。
【００１９】
封口板は、蓄電デバイスの内圧が上昇したときに作動するガス抜き弁を有してもよい。このとき、第１ケースは、ガス抜き弁と所定間隔を隔てて対向する蓋部を有することが好ましい。これにより、十分なガスの通路が確保される。また、外側収容部を覆うように回路基板が配置されている場合、回路基板をガスから保護することができる。
【００２０】
外側収容部は、隣接する蓄電デバイスの外部端子のうち、接合部材により連結されない外部端子同士を電気的に絶縁する第３仕切り部材を有することが好ましい。これにより、必要な外部端子同士を接合部材で接合する際に、不要な電気的な誤接触を避けることができる。第３仕切り部材は、構造的強度の向上にも寄与する。
【００２１】
外側収容部は、外部端子および接合部材を囲うように配されたリブを有することが好ましい。これにより、蓄電デバイスが全体的に更に取り扱い易い形状となり、構造的強度も更に向上する。このときリブの端面と第３仕切り部材の端面とが面一であることが好ましい。これにより、構造的強度が一層向上する。なお、同様の観点から、ガス抜き弁と対向する蓋部も、リブの端面および第３仕切り部材の端面と面一であることが好ましい。
【００２２】
蓄電デバイスモジュールは、蓄電デバイスを制御するための回路基板を具備してもよい。このとき、回路基板は、外側収容部を覆うように配することが好ましい。これにより、蓄電デバイスの外部端子と回路基板との距離が近くなり、外部端子と回路基板との接続構造を簡易かつ低抵抗にすることが容易となる。
【００２３】
上記蓄電デバイスモジュールを構成する蓄電デバイスの種類は、特に限定されないが、電池および／またはキャパシタ（もしくはコンデンサ）が挙げられる。電池の種類は特に限定されないが、非水電解質電池、鉛蓄電池、ニッケル水素蓄電池などの化学電池が挙げられる。キャパシタ（もしくはコンデンサ）の種類も特に限定されないが、電気二重層キャパシタ、リチウムイオンキャパシタ、レドックスキャパシタなどが挙げられる。
【００２４】
［発明の実施形態の詳細］
本発明の実施形態を以下に具体的に説明する。なお、本発明は、以下の内容に限定されるものではなく、特許請求の範囲によって示され、特許請求の範囲と均等の意味および範囲内でのすべての変更が含まれることが意図される。
【００２５】
図１は、ホルダーにより一体化された複数の角型の蓄電デバイスの一例を示している。図２は、複数の蓄電デバイスからホルダー（第１ケースと第２ケース）を外した状態を示している。
【００２６】
蓄電デバイス１００は、発電要素または蓄電要素と、その要素を収容する角型ケースとを具備する。角型ケースは、上部が開口した有底角型の金属容器１０１と、上部開口を塞ぐ封口板１０３とで構成されている。金属容器１０１の開口形状は、細長い長方形またはこれに近似した形状である。金属容器１０１は、例えばアルミニウムまたはアルミニウム合金製である。
【００２７】
封口板１０３の一方側寄りには、封口板を貫通する第１外部端子１０５が設けられ、封口板の他方側寄りには、封口板を貫通する第２外部端子１０７が設けられている。第１外部端子１０５と第２外部端子１０７とは逆極性を有し、いずれも突起状または柱状である。第１外部端子１０５と第２外部端子１０７は、蓄電デバイス１００の対称な位置に対称な形状で配置されている。封口板１０３の中央には、蓄電デバイス１００の内圧が上昇したときに、内部で発生したガスを放出するためのガス抜き弁１０９が設けられている。
【００２８】
複数の蓄電デバイス１００の封口板１０３は、デバイス群の上端部に整列して配置されている。第１ケース２００は、デバイス群の上端部１００ａと勘合する形状を有し、第２ケース３００は、デバイス群の下端部１００ｂと勘合する形状を有する。各ケースは、隣接する蓄電デバイス１００間に介在する板状の仕切り部材２０１、３０１を有する。これにより、各ケースには、各蓄電デバイス１００の上端部または下端部に勘合する仕切り構造が形成されるとともに、隣接する蓄電デバイス１００間には空間１０２が保持される。これにより、優れた放熱性が確保される。
【００２９】
各蓄電デバイス１００の配列は、仕切り構造により規制される。よって、第２ケース３００に、その仕切り構造に合わせて、各蓄電デバイス１００を下端部１００ｂから挿入することにより、複数の蓄電デバイス１００が整列した状態で第２ケース３００に収容される。その後、第１ケース２００を、第２ケース３００に収容されたデバイス群の上端部１００ａに勘合させることにより、第１ケース２００の仕切り構造によってデバイス群が固定される。よって、隣接する蓄電デバイス１００間の空間１０２が安定的に保持される。すなわち、簡易な作業で、複数の蓄電デバイスを一体化でき、かつ得られる構造の安定性も優れている。
【００３０】
隣接する蓄電デバイス１００間に定常的に空間が保持されるため、振動および／または衝撃により蓄電デバイス１００同士が接触することも防止される。よって、蓄電デバイス同士の電気的な絶縁が確実に確保でき、蓄電デバイスの擦れによる破損も防止される。
【００３１】
第１ケース２００および第２ケース３００は、それぞれ絶縁性を有し、かつ軽量性に優れる樹脂製部品であることが好ましい。第１ケース２００および第２ケース３００は、例えば、ポリオレフィンおよび／またはこれを含む樹脂組成物の成形品であることが好ましい。ポリオレフィンとしては、耐熱性に優れるポリプロピレン（ＰＰ）が好ましい。
【００３２】
図１０Ａ〜図１０Ｅに、各方向から見た第１ケース２００の外観を示す。第１ケース２００は、蓄電デバイス１００の上端部と両サイド２００ａ、２００ｂが接触するとともに中央にガス抜き弁１０９と対向する蓋部２０５を有する天面板２１０と、蓋部２０５を除く天面板２１０の周囲から上方に立ち上がる外リブ２３０と、蓋部２０５を除く天面板２１０の周囲から下方に立ち下がる内リブ２５０と、天面板２１０を等分するように天面板から立ち下がる板状の第１仕切り部材２０１（図１０Ｄ参照）とを有する。天面板２１０は、平面視では矩形であり、蓋部２０５は外リブ２３０の端面２３０ａと面一である。
【００３３】
上記のように、第１ケース２００は、天面板２１０と内リブ２５０とで区画された内側収容部２０７を有するとともに、内側収容部２０７の反対側に、天面板２１０と外リブ２３０とで区画された外側収容部２０９を有する。
【００３４】
外リブ２３０は、金属容器１０１の開口の長辺と平行な第１側壁２３１と、金属容器１０１の開口の短辺（すなわちデバイス群の積層方向）と平行な第２側壁２３３とを有する。同様に、内リブ２５０は、金属容器１０１の開口の長辺と平行な第１側壁２５１と、金属容器１０１の開口の短辺（すなわちデバイス群の積層方向）と平行な第２側壁２５３とを有する。
【００３５】
内側収容部２０７は、内リブ２５０および第１仕切り部材２０１により、更に複数の区画２０３に分割されている。各区画２０３には、蓄電デバイスの上端部が１つずつ勘合する。天面板２１０には、図１０Ｄに明確に示されるように、区画毎に各蓄電デバイスの２つの外部端子に対応する開口２１１が設けられている。すなわち、内側収容部２０７と外側収容部２０９とは、外部端子を外側収容部２０９側に露出させる複数の開口２１１により連通している。
【００３６】
外側収容部２０９には、図５、図６に示すように、蓄電デバイス１００の突起状の外部端子１０５（１０７）と、隣接する端子間を接続する接合部材４００とが収容される。一方、接合部材４００により連結されない外部端子同士は、外側収容部２０９に設けられた第３仕切り部材２０２により互いに隔絶される。外リブ２３０の端面２３０ａと第３仕切り部材２０２の端面２０２ａとは面一である。
【００３７】
第３仕切り部材２０２は、一部の外部端子同士をバスバーのような接合部材４００で接続する作業の安全性を確保するのに役立つ。バスバーおよび／または工具類が接続対象ではない外部端子に誤接触すると、蓄電デバイス１００が短絡し、蓄電デバイス１００が破損したり、作業の安全性が低下したりする。第３仕切り部材２０２は、このような誤接触を防止する。
【００３８】
外側収容部２０９は、接続部材と勘合する凹凸形状を有してもよい。これにより、接合部材の配置が規制されるため、接続するべき外部端子を間違わずに選択することができ、誤接続が防止される。
【００３９】
図１１Ａ〜図１１Ｄに、各方向から見た第２ケース３００の外観を示す。第２ケース３００は、蓄電デバイス１００の底面と接触する矩形の底面板３１０と、底面板の周囲から上方に立ち上がるリブ３３０と、底面板を等分するように底面板から立ち上がる板状の第２仕切り部材３０１とを有する。リブ３３０は、金属容器１０１の開口の長辺と平行で、中央が凹んだ第１側壁３３１（図１１Ｂ参照）と、金属容器１０１の開口の短辺（すなわちデバイス群の積層方向）と平行な第２側壁３３３（図１１Ｄ参照）とを有する。
【００４０】
第２ケース３００は、リブ３３０および第２仕切り部材３０１により、複数の区画３０３に分割され、各区画３０３に蓄電デバイスが１つずつ挿入される。底面板３１０には、図１１Ｃに明確に示されるように、区画毎に開口３１１が設けられ、開口３１１により蓄電デバイス１００の底面からの放熱を促している。
【００４１】
第１ケース２００は、第２側壁２３３（２５３）の対称な複数箇所に、第２ケース３００の第２側壁３３３まで延びる第１係合部材２７０を有する。一方、第２ケース３００は、第１係合部材２７０に対応する複数箇所に、第１係合部材２７０と勘合する第２係合部材３７０を有する。第１係合部材２７０と第２係合部材３７０とを勘合させることにより、第１係合部材２７０に張力が働き、第１ケース２００と第２ケース３００とでデバイス群が挟持される。これにより、デバイス群が更に強固に固定される。
【００４２】
具体的には、第１係合部材２７０は、図１０Ｅに示すように、第２側壁２３３（２５３）から下方に向かって延びるリング状部材として形成されている。一方、第２係合部材３７０は、図１１Ｄ、図１１Ｅに示すように、第２側壁３３３の上端付近に、上端から下方に向かってテーパー状に厚みが大きくなる突起として形成されている。リング状部材の先端を突起に係合させることにより、第１ケース２００と第２ケース３００とが連結される。
【００４３】
図３に示すように、ホルダーで一体化された蓄電デバイス１００は、外装ケース５００に収容してもよい。車両に蓄電デバイスモジュールを載置する場合には、強度の高い外装ケース５００を用いることが望ましい。図４には、外装ケース５００に収容された蓄電デバイスの側面を、更に拘束プレート５５０で固定する場合を示している。
【００４４】
図５および図６は、接合部材４００と蓄電デバイス１００の外部端子との接続関係を示している。ホルダー内には、複数の蓄電デバイス１００が、第１外部端子１０５と第２外部端子１０７とが交互に隣り合うように収容されている。よって、全ての蓄電デバイス１００を直列に電気的に接続する場合には、複数のバスバー４０１（蓄電デバイスの数がｎ個であれば（ｎ−１）個のバスバー）を用いて、最近接する異なる極性の外部端子同士が、第１外部端子側と第２外部端子側とで交互に接続される。なお、図示例では、外部端子１０５（１０７）が雄螺子となり、バスバー４０１をナット４０３により固定する場合を示している。
【００４５】
デバイス群の最も外側に配置される２つの蓄電デバイス１００の一方の第１外部端子１０５Ｘおよび他方の第２外部端子１０７Ｙは、蓄電デバイスモジュールの出力端子または入力端子と、特別な接続部品４０５を用いて接続される。一方、バスバー４０１により接続されない外部端子同士は、外側収容部２０９の第３仕切り部材２０２により互いに隔絶される。
【００４６】
図７は、外装ケース５００に収容された蓄電デバイスモジュールと、カバープレート５７０との関係を示している。外側収容部２０９はカバープレート５７０により覆われ、外部端子および接続構造は外部から隔絶される。これにより、外部端子間の絶縁がより確実に確保される。
【００４７】
図８は、外装ケースの形態が異なること以外、図７の蓄電デバイスモジュールと同様の構成を示している。図８に示すように外装ケース５００に収容された蓄電デバイスモジュールのカバープレート５７０上には、蓄電デバイス１００の充放電を制御する制御回路を具備する回路基板６００を配置することができる。図９Ａに、回路基板６００と一体化された蓄電デバイスモジュール７００の一例の外観を示す。図９Ｂには、蓄電デバイス１００の外部端子１０７Ｙと回路基板６００との接続構造を示す。図９Ｂは、図９ＡのＢ−Ｂ線矢視図である。
【００４８】
蓄電デバイス１００の外部端子と回路基板６００とは、図１２Ａ〜図１２Ｃに示すような接続部品４０５を介して接続される。接続部品４０５は、外部端子１０５（１０７）が貫通する孔４０５ａを有し、ナット４０３と加締められる板状部４０５ｂと、孔４０５ａと間隔を隔てて板状部４０５ｂから上方に延びる柱状部４０５ｃとを有する。柱状部４０５ｃの先端付近には、中空部４０５ｄを設けてもよく、中空部４０５ｄの内壁に螺子溝を形成して柱状部４０５ｃを雌螺子としてもよい。
【００４９】
接続部品４０５の柱状部４０５ｃは、カバープレート５７０に設けられた貫通孔５７１を通過して回路基板６００に到達する高さを有する。貫通孔５７１には、カバープレート５７０と柱状部４０５ｃとを絶縁性するガイド部品５７５を介在させてもよい。柱状部４０５ｃの先端は、例えば平坦面になっている。柱状部４０５ｃの先端の平坦面は、回路基板６００の下面に露出する端子電極６０１と当接させることができる。この状態で、雄螺子５９０を柱状部４０５ｃの雌螺子に勘合させることにより、柱状部４０５ｃの先端の平坦面と回路基板６００の端子電極６０１とが強固に面接触し、電気的接続が達成される。柱状部４０５ｃの先端と端子電極６０１との接触面積は２０ｍｍ2以上であることが望ましい。これにより、出入力端子部における抵抗が低くなり、大電流による充放電に有利となる。
【産業上の利用可能性】
【００５０】
本発明の蓄電デバイスモジュールは、振動および／または衝撃に対する耐性が高く、長期間にわたって優れた放熱性を維持することができるため、例えば車両に搭載するのに適している。
【符号の説明】
【００５１】
１００：蓄電デバイス、１００ａ：上端部、１００ｂ：下端部、１０１：金属容器、１０２：空間、１０３：封口板、１０５（１０５Ｘ）：第１外部端子、１０７（１０７Ｙ）：第２外部端子、１０９：ガス抜き弁、２００：第１ケース、２００ａ、２００ｂ：サイド、２０１：第１仕切り部材、２０２：第３仕切り部材、２０２ａ：第３仕切り部材の端面、２０３：区画、２０５：蓋部、２０７：内側収容部、２０９：外側収容部、２１０：天面板、２１１：天面板の開口、２３０：外リブ、２３０ａ：外リブの端面、２３１：外リブの第１側壁、２３３：外リブの第２側壁、２５０：内リブ、２５１：内リブの第１側壁、２５３：内リブの第２側壁、２７０：第１係合部材、３００：第２ケース、３０１：第２仕切り部材、３０３：区画、３１０：底面板、３１１：底面板の開口、３３０：リブ、３３１：リブの第１側壁、３３３：リブの第２側壁、３７０：第２係合部材、４００：接合部材、４０１：バスバー、４０３：ナット、４０５：接続部品、４０５ａ：孔、４０５ｂ：板状部、４０５ｃ：柱状部、４０５ｄ：中空部、５００：外装ケース、５５０：拘束プレート、５７０：カバープレート、５７１：貫通孔、５７５：ガイド部品、５９０：雄螺子、６００：回路基板、６０１：端子電極、７００：蓄電デバイスモジュール
【図１】
0006606818.tif 000002
【図２】
0006606818.tif 000003
【図３】
0006606818.tif 000004
【図４】
0006606818.tif 000005
【図５】
0006606818.tif 000006
【図６】
0006606818.tif 000007
【図７】
0006606818.tif 000008
【図８】
0006606818.tif 000009
【図９Ａ】
0006606818.tif 000010
【図９Ｂ】
0006606818.tif 000011
【図１０Ａ】
0006606818.tif 000012
【図１０Ｂ】
0006606818.tif 000013
【図１０Ｃ】
0006606818.tif 000014
【図１０Ｄ】
0006606818.tif 000015
【図１０Ｅ】
0006606818.tif 000016
【図１１Ａ】
0006606818.tif 000017
【図１１Ｂ】
0006606818.tif 000018
【図１１Ｃ】
0006606818.tif 000019
【図１１Ｄ】
0006606818.tif 000020
【図１１Ｅ】
0006606818.tif 000021
【図１２Ａ】
0006606818.tif 000022
【図１２Ｂ】
0006606818.tif 000023
【図１２Ｃ】
0006606818.tif 000024